(57)【要約】【課題】狭額縁化やバックライトの不等ピッチに対応可能であり、コストダウンも可能な疑似Ｕ字状のバックライトを組み込んだ液晶モジュールを提供する。【解決手段】液晶パネルの背面側に、平行な二本の直状冷陰極管３ａ，３ａの低圧側のピン状端子３ｂ，３ｂを錫メッキ鋼板製のコネクトプレート３ｃに半田３ｅ付けして疑似Ｕ字状に構成したバックライト３１，３２，３３を設けた液晶モジュールとする。コ字状に折り曲げて弛みを持たせることが不要なコネクトプレート３ｃを用いて疑似Ｕ字状バックライトを構成することにより、狭額縁化に対応可能とし、プレート両端部の端子挿通孔３ｄ，３ｄの相互のピッチが異なるコネクトプレートを用いることでバックライトの不等ピッチに対応し、錫メッキ鋼板製のコネクトプレート３ｃを用いることでコストダウンを図る。【選択図】図６
2010176955.tif 000002
【特許請求の範囲】
【請求項１】
液晶パネルの背面側にバックライトを設けた液晶モジュールであって、前記バックライトが、平行な二本の直状冷陰極管の低圧側のピン状端子を導電金属製のコネクトプレートに半田付けして疑似Ｕ字状に構成したバックライトであることを特徴とする液晶モジュール。
【請求項２】
前記二本の直状冷陰極管の低圧側のピン状端子が、前記コネクトプレートの二つの端子挿通孔にそれぞれ挿通されて半田付けされていることを特徴とする請求項１に記載の液晶モジュール。
【請求項３】
前記コネクトプレートが、プレート両端部に端子挿通孔を一つずつ形成すると共に、これらの端子挿通孔相互間のピッチの大小の程度を判別させる標示部をプレート中間部に形成したものであることを特徴とするひ請求項１に記載の液晶モジュール。
【請求項４】
前記コネクトプレートが、プレート一端部に一つの端子挿通孔を形成すると共に、プレート他端側に二つ以上の端子挿通孔をプレート長さ方向に一列に並べて形成したものであることを特徴とする請求項２に記載の液晶モジュール。
【請求項５】
前記コネクトプレートが錫メッキ鋼板からなるものであることを特徴とする請求項１ないし請求項４のいずれかに記載の液晶モジュール。
【発明の詳細な説明】
【技術分野】
【０００１】
本発明は、テレビやパソコンその他の電子機器に組み込まれる液晶モジュールに関し、特に、液晶パネルの背面側に設けられる疑似Ｕ字状のバックライトを、狭額縁化に対応できるように、且つ、コストダウンを図ることもできるように改良した液晶モジュールに関する。
【背景技術】
【０００２】
従来の直下ライト方式の液晶モジュールにおいて、液晶パネルの背面側に設けられる疑似Ｕ字状のバックライトは、図９の（ａ）に示すように、平行な二本の直状冷陰極管１００，１００の低圧側のピン状端子１００ａ，１００ａを、略コ字状に折り曲げた樹脂被覆ワイヤー１０１の両端に半田付けすることによって、疑似Ｕ字状に構成されたものである。このようなバックライトは、図９の（ｂ）に示すように、直状冷陰極管１００と樹脂被覆ワイヤー１０１との半田接続部分が絶縁ゴム製のホルダー１０２，１０２で囲繞保持されて、液晶モジュールのリアフレーム（不図示）に取付けられ、樹脂被覆ワイヤー１０１とホルダー１０２，１０２がランプフレーム（不図示）で覆われるようになっている。
【０００３】
一方、従来のエッジライト方式の小型の液晶モジュールにおいて、導光板の側端面に配設される２本の線状光源の電極を連結金具の孔に挿通し、この電極と連結金具と低圧側のケーブルの芯線を半田で接続固定したものも知られている（特許文献１）。
【先行技術文献】
【特許文献】
【０００４】
【特許文献１】特開２００８−１０７５１５号公報
【発明の概要】
【発明が解決しようとする課題】
【０００５】
しかしながら、図９に示す従来の疑似Ｕ字状のバックライトは、樹脂被覆ワイヤー１０１の略直角に折り曲げた両端部１０１ａ，１０１ａの長さが短くなると、その曲げ応力が直状冷陰極管１００，１００の端部やピン状端子に大きく作用して破損や変形の原因になる恐れがあるため、樹脂被覆ワイヤー１０１に弛みを与えて両端部１０１ａ，１０１ａの長さに多少の余裕をもたせる必要がある。そのため、樹脂被覆ワイヤー１０１とホルダー１０２，１０２を覆うランプフレームが液晶モジュールの狭額縁化に伴ってスリムになると、ランプフレームをリアフレームに取付ける際に、樹脂被覆ワイヤー１０１がランプフレームとリアフレームの底板との間に挟み込まれたり、ホルダー１０２，１０２がランプフレームの内側に納まらなくなったりする恐れが生じるので、狭額縁化には対応し難いという問題があった。
【０００６】
また、大画面の液晶モジュールの場合、画面の輝度を均一にするために、中央に配置される疑似Ｕ字状のバックライトは、短い樹脂被覆ワイヤー１０１を用いて直状冷陰極管１００，１００の間隔（ピッチ）を小さくし、このバックライトの両側に配置される疑似Ｕ字状のバックライトは、上記より少し長いワイヤー１０１を用いて直状冷陰極管１００，１００のピッチを上記より少し大きくし、更に、これらのバックライトの両外側に配置される疑似Ｕ字状のバックライトは、上記より更に長いワイヤー１０１を用いて直状冷陰極管１００，１００のピッチを上記より更に大きくするといったように、各バックライトの直状冷陰極管１００，１００相互間のピッチを変えているが、このように不等ピッチにした場合、従来の疑似Ｕ字状のバックライトは、目で見てもピッチの大きさがどの程度の疑似Ｕ字状のバックライトであるのか、判別し難いという問題があった。かといって、ピッチの大小の程度に応じて樹脂被覆ワイヤー１０１の色を変えることにより、容易に判別できるようにすると、コストアップを招くという問題があった。
【０００７】
一方、前記特許文献１の小型の液晶モジュールは、従来の直下ライト方式とは根本的に異なるエッジライト方式の二本の線状光源の電極を低圧側のケーブルの芯線に接続する場合に、連結金具を用いてその孔に線状光源の電極を挿入することにより電極を位置決めし、連結金具の表面で双方の電極と芯線との半田接続を容易に行えるようにしたものであって、このようなエッジライト方式の先行技術は従来の直下ライト方式の液晶モジュールに適用し難く、適用したとしても上記の問題を解決することは困難である。
【０００８】
本発明は上記事情の下になされたもので、その解決しようとする課題は、狭額縁化に対応することが可能であり、不等ピッチにも対応することが可能であり、コストダウンを図ることも可能である疑似Ｕ字状のバックライトを組み込んだ液晶モジュールを提供することにある。
【課題を解決するための手段】
【０００９】
上記課題を解決するため、本発明に係る液晶モジュールは、液晶パネルの背面側にバックライトを設けた液晶モジュールであって、前記バックライトが、平行な二本の直状冷陰極管の低圧側のピン状端子を導電金属製のコネクトプレートに半田付けして疑似Ｕ字状に構成したバックライトであることを特徴とするものである。
【００１０】
本発明の液晶モジュールにおいては、前記二本の直状冷陰極管の低圧側のピン状端子が、前記コネクトプレートの二つの端子挿通孔にそれぞれ挿通されて半田付けされていることが望ましい。そして、前記コネクトプレートは、プレート両端部に端子挿通孔を一つずつ形成すると共に、これらの端子挿通孔相互間のピッチの大小の程度を判別させる標示部をプレート中間部に形成したものであることが望ましい。また、前記コネクトプレートは、プレート一端部に一つの端子挿通孔を形成すると共に、プレート他端側に二つ以上の端子挿通孔をプレート長さ方向に一列に並べて形成したものであることも望ましい。更に、前記コネクトプレートは錫メッキ鋼板からなるものであることが望ましい。
【発明の効果】
【００１１】
本発明の液晶モジュールのように、液晶パネルの背面側に設けられる疑似Ｕ字状のバックライトが、平行な二本の直状冷陰極管の低圧側のピン状端子を導電金属製のコネクトプレートに半田付けして疑似Ｕ字状に構成したものであると、コネクトプレートを従来の樹脂被覆ワイヤーのようにコ字状に折り曲げて弛みを持たせる必要がなくなるので、液晶モジュールの狭額縁化によってランプフレームがスリム（幅狭）になっても、ランプフレームとリアフレームとの間にコネクトプレートを挟み込む恐れがなくなり、また、直状冷陰極管の低圧側端部とコネクトプレートを保持する後述のホルダーもランプフレームの内側に余裕をもって収容できるようになる。従って、液晶モジュールの狭額縁化の要請に充分対応することができる。
【００１２】
直状冷陰極管のピン状端子とコネクトプレートの半田付けは、コネクトプレートの片面にピン状端子を載せて行ってもよいが、前記のようにコネクトプレートの二つの端子挿通孔に二本の直状冷陰極管のピン状端子を挿通して半田付けすると、ピン状端子が位置決めされるので半田付け作業がしやすくなり、直状冷陰極管相互間のピッチのバラツキもなくなる。
【００１３】
また、不等ピッチの疑似Ｕ字状のバックライトを液晶パネルの背面側に設けるときは、コネクトプレートの長さを変更することによって容易に対応できるが、その場合、コネクトプレートが、前記のように、プレート両端部に端子挿通孔を一つずつ形成し、且つ、これらの端子挿通孔相互間のピッチの大小の程度を判別させる標示部をプレート中間部に形成したものであると、標示部を見るだけで、その疑似Ｕ字状バックライトがどの程度の大きさのピッチ（直状冷陰極管相互間のピッチ）を有するものであるのか、容易に判別することができるので、間違ったピッチの疑似Ｕ字状バックライトを取付けることがなくなり、また、不等ピッチの疑似Ｕ字状のバックライトを組み立てるときにも、コネクトプレートを間違って半田付けする心配が解消される。
【００１４】
一方、コネクトプレートが、プレート一端部に一つの端子挿通孔を形成すると共に、プレート他端側に二つ以上の端子挿通孔をプレート長さ方向に一列に並べて形成したものである場合は、プレート一端部の端子挿通孔に一方の直状冷陰極管のピン状端子を挿通して半田付けすると共に、プレート他端側のいずれかの端子挿通孔を選択してその孔に他方の直状冷陰極管のピン状端子を挿通して半田付けすることにより、一種類のコネクトプレートを共用して、不等ピッチの数種類の疑似Ｕ字状バックライトを組み立てることができる。そして、他方の直状冷陰極管のピン状端子を挿通した端子挿通孔がどの孔であるのかを見るだけで、その疑似Ｕ字状バックライトのピッチを判別できるため、間違ったピッチの疑似Ｕ字状バックライトを取付ける心配も解消される。
【００１５】
更に、前記の錫メッキ鋼板からなるコネクトプレートを用いる場合は、該コネクトプレートが従来の樹脂被覆ワイヤーに比べて遥かに安価なものであるため、大幅なコストダウンが可能となり、しかも、錫メッキ鋼板からなるコネクトプレートは半田付け性に優れているため、直状冷陰極管とコネクトプレートとの接続不良が皆無に等しくなり、信頼性の高い疑似Ｕ字状バックライトを組み立てることができる。
【図面の簡単な説明】
【００１６】
【図１】本発明の一実施形態に係る液晶モジュールの分解斜視図である。
【図２】同液晶モジュールの部分断面図である。
【図３】光学シートとセルガイドと液晶パネルとベゼルを省略した同液晶モジュールの平面図である。
【図４】ランプフレームを一部切り欠いて示す図３の右上部分の拡大図である。
【図５】ランプフレームを一部切り欠いて示す図３の左上部分の拡大図である。
【図６】（ａ）は同液晶モジュールに組み込まれる疑似Ｕ字状のバックライトの部分斜視図である。
【図７】（ａ）（ｂ）（ｃ）はいずれも、端子挿通孔相互間のピッチが異なるコネクトプレートの平面図である。
【図８】不等ピッチの疑似Ｕ字状のバックライトに共用できるコネクトプレートの平面図である。
【図９】従来の液晶モジュールに組み込まれる疑似Ｕ字状のバックライトの部分斜視図である。
【発明を実施するための形態】
【００１７】
まず、図１，図２を参照して、本実施形態の液晶モジュールの全体構成を概説する。本実施形態の液晶モジュールは、大画面の液晶テレビに組み込まれる大型の液晶モジュールであって、板金製の浅い箱型のリアフレーム１の内部には光反射シート２が設けられている。この光反射シート２の上側（換言すれば、後述する液晶パネル８の背面側）には、不等ピッチの疑似Ｕ字状のバックライト３１，３２，３３が並列に複数（本実施形態では合計５つ）配設されており、これらの疑似Ｕ字状バックライトは、光反射シート２の上からリアフレーム１の底板１ａに取付けられたバックライト支持体４で支持固定されている。そして、各バックライト３１，３２，３３の両端部は、リアフレーム１の双方の側板１ｂ，１ｃに沿って取付けられたランプフレーム６ａ，６ｂで覆われている。尚、疑似Ｕ字状バックライトについては、後で詳細に説明する。
【００１８】
リアフレーム１の長辺の側板１ｄ，１ｅは、いずれも逆Ｕ字状に折り曲げられて二重側板とされており、この二重側板１ｄ，１ｅの上面と前記ランプフレーム６ａ，６ｂのシート挿入溝（不図示）には、３枚の光学シート５ａ，５ｂ，５ｃの四周縁が載置または挿入されている。これらの光学シートは、疑似Ｕ字状バックライト３１，３２，３３から発せられる光を拡散して液晶パネル（液晶セル）８に均一に照射する光拡散シートであって、上２枚の光学シート５ｂ，５ｃは薄い光拡散シートであるが、下側の光学シート５ａは撓みにくい厚手の光拡散シート（光拡散板）が使用されている。
【００１９】
上記光学シート５ａ，５ｂ，５ｃの長辺沿いの端縁は、リアフレーム１の長辺の二重側板１ｄ，１ｅに取付けられた合成樹脂製のセルガイド（液晶パネル支持材）７，７で押さえられており、このセルガイド７，７と、セルガイドを兼ねた前記ランプフレーム６ａ，６ｂの上には、液晶パネル８の四周の端縁部が載置されている。
【００２０】
この液晶パネル８の片方の長辺には、ソースドライバＩＣチップを搭載した複数枚のチップオンフィルム９（ＣＯＦ）を介して二つの横長矩形状の中継基板（Ｘ−ＰＣＢ）１０，１０が接続されており、この中継基板１０は、図２に示すようにセルガイド７の縦板部７ａに沿って取付けられている。また、液晶パネル８の片方の短辺には、ゲートドライバＩＣチップを搭載したチップオンフィルム９を介して一つの横長矩形状の中継基板（Ｙ−ＰＣＢ）１１が接続されており、この中継基板１１は前記ランプホルダー６ｂの外側面又はリアフレーム１の側板１ｃに取付けられている。
【００２１】
そして、二本の長いベゼル１２ａ，１２ｂと二本の短いベゼル１３ａ，１３ｂを長方形に枠組みして、液晶パネル８とリアフレーム１の四周を覆うようにリアフレーム１にビス止めすることにより、大画面の液晶モジュールが組立てられている。
【００２２】
この液晶モジュールの大きい特徴は、以下に説明するように、疑似Ｕ字状のバックライト３１，３２，３３にある。
【００２３】
即ち、これらの疑似Ｕ字状のバックライト３１，３２，３３はいずれも、図６の（ａ）に示すように、平行な二本の直状冷陰極管３ａ，３ａの低圧側のピン状端子３ｂ，３ｂを、錫メッキ鋼板などの半田付け性に優れた良導電性の金属からなるコネクトプレート３ｃの両端部の端子挿通孔３ｄ，３ｄに挿通し、半田付け（半田３ｅで接合）することによって疑似Ｕ字状に構成されたものである。
【００２４】
これらのバックライト３１，３２，３３は不等ピッチとされており、図３〜図５に示すように、直状冷陰極管３ａ，３ａの相互間のピッチが小さい疑似Ｕ字状バックライト３１がリアフレーム１の丁度中間部に位置して光反射シート２の上側に配設されている。そして、このバックライト３１の両側はに、直状冷陰極管３ａ，３ａの相互間のピッチが中程度の二つの疑似Ｕ字状バックライト３２，３２が並列に配設されており、更にこれらのバックライト３２，３２の外側には、直状冷陰極管３ａ，３ａの相互間のピッチが大きいの二つの疑似Ｕ字状バックライト３３，３３が並列に配設されている。このように不等ピッチの疑似Ｕ字状バックライト３１，３２，３３を配設すると、光学シート５ａ，５ｂ，５ｃの光拡散作用と相乗して、液晶モジュールの画面（液晶パネル８）の輝度が均一になり、鮮明な画像を視認できるようになる。
【００２５】
ピッチが小さい疑似Ｕ字状バックライト３１は、図６の（ａ），図７の（ａ）に示すコネクトプレート３ｃ、即ち、円形の両端部に一つずつ形成された端子挿通孔３ｄの相互間のピッチが小さいコネクトプレート３ｃを用いて、上記のように双方の直状冷陰極管３ａ，３ａのピン状端子３ｂ，３ｂをプレート両端部の端子挿通孔３ｄ，３ｄに挿入すると共に半田付けして疑似Ｕ字状に構成したものであり、ピッチが中程度の疑似Ｕ字状バックライト３２は、図７の（ｂ）に示すように、円形のプレート両端部に一つずつ形成された端子挿通孔３ｄの相互間のピッチが中程度のコネクトプレート３ｃを用いて、上記と同様に疑似Ｕ字状に構成したものであり、ピッチが大きい疑似Ｕ字状バックライト３３は、図７の（ｃ）に示すように、円形のプレート両端部に一つずつ形成された端子挿通孔３ｄの相互間のピッチが中程度のコネクトプレート３ｃを用いて、上記と同様に疑似Ｕ字状に構成したものである。
【００２６】
図７の（ｂ）に示すコネクトプレート３ｃは、円形の両端部に形成された端子挿通孔３ｄ，３ｄの相互間のピッチの大きさが中程度であることを判別させる標示部として、一つの膨出部３ｆがプレート中間部に形成されており、図７の（ｃ）に示すコネクトプレート３ｃは、円形の両端部に形成された端子挿通孔３ｄ，３ｄの相互間のピッチが大きいことを判別させる標示部として、二つの膨出部３ｆ，３ｆがプレート中間部に形成されている。一方、図７の（ａ）に示すコネクトプレート３ｃは、プレート中間部にそのような膨出部が形成されてなく、この膨出部の形成されていないプレート中間部それ自体が、プレート両端部の端子挿通孔３ｄ，３ｄ相互間のピッチが小さいことを判別させる標示部となっている。このように標示部が形成されていると、標示部を見るだけで、コネクトプレート３ｃの端子挿通孔３ｄ，３ｄ相互間のピッチの大小の程度が判別できるので、不等ピッチの疑似Ｕ字状バックライト３１，３２，３３を組み立てるときに、間違ってピッチの異なるコネクトプレート３ｃを用いる心配がなくなり、また、組み立てた不等ピッチの疑似Ｕ字状バックライト３１，３２，３３を間違って配設する心配も解消される。
【００２７】
上記の疑似Ｕ字状バックライト３１，３２，３３の取付けは、図６の（ｂ）に示すように、絶縁ゴム製のホルダー１３の偏平なＵ字形の溝１３ａに、コネクトプレート３ｃと直状冷陰極管３ａ，３ａの低圧側端部を嵌合保持させ、図４に示すように、リアフレーム１の側板１ｃに沿って底板１ａにホルダー１３を固定する一方、図５に示すように、直状冷陰極管３ａ，３ａの給電側端部に取付けた接続ソケット１４を、リアフレーム１の反対側の側板１ｂに沿って底板１ａに固定し、図３に示すように、更に各バックライトの直状冷陰極管３ａ，３ａをバックライト支持体４の開環状保持部４ａで支持固定することによって行われる。
【００２８】
上記のように、この実施形態の液晶モジュールに組み込まれる疑似Ｕ字状バックライト３１，３２，３３は、コネクトプレート３ｃを従来の樹脂被覆ワイヤーのようにコ字状に曲げて弛ませる必要がなく、コネクトプレート３ｃと直状冷陰極管３ａ，３ａの低圧側端部をホルダー１３の溝１３ａに嵌合保持させて固定することができるので、その上から取付けるランプフレーム６ｂが液晶モジュールの狭額縁化によってスリム（幅狭）になっても、ホルダー１３をランプフレーム６ｂの内側に確実に収容することが可能となり、ランプフレーム６ｂとリアフレーム１との間にコネクトプレート３ｃを挟み込む恐れも完全に解消することができる。従って、この液晶モジュールは、狭額縁化の要請に充分対応できるものである。
【００２９】
また、錫メッキ鋼板からなるコネクトプレート３ｃを用いて疑似Ｕ字状バックライトを組み立てると、該コネクトプレート３ｃは従来の樹脂被覆ワイヤーよりも遥かに安価であるため、大幅なコストダウンが可能となり、しかも、該コネクトプレート３ｃは半田付け性に優れているため、直状冷陰極管３ａ，３ａのピン状端子とコネクトプレート３ｃとの接続不良が皆無に等しくなって、信頼性の高い疑似Ｕ字状バックライト３１，３２，３３を組み立てることができる。
【００３０】
疑似Ｕ字状のバックライトは、図８に示すようなコネクトプレート３ｇを用いて組み立てもよい。即ち、このコネクトプレート３ｇは、円形のプレート一端部に一つの端子挿通孔３ｄを形成すると共に、幅が拡張されたプレート他端側に二つ以上（図８のコネクトプレートでは三つ）の端子挿通孔３ｄをプレート長さ方向に一列に並べて形成したものである。
【００３１】
このようなコネクトプレート３ｇは、プレート一端部の端子挿通孔３ｄに一方の直状冷陰極管３ａのピン状端子３ｂを挿通して半田付けすると共に、プレート他端側のいずれかの端子挿通孔３ｄを選択してその孔３ｄに他方の直状冷陰極管３ａのピン状端子３ｂを挿通して半田付けすることにより、一種類のコネクトプレート３ｇを共用して、不等ピッチの３種類の疑似Ｕ字状バックライト３１，３２，３３を組み立てることができる利点がある。そして、他方の直状冷陰極管３ａのピン状端子３ｂを挿通した端子挿通孔がどの孔であるのかを見るだけで、その疑似Ｕ字状バックライトのピッチの大小を判別できるため、間違ったピッチの疑似Ｕ字状バックライトを取付ける心配を解消することもできる。
【００３２】
なお、上記のような共用タイプのコネクトプレート３ｇは、プレート他端側に形成する端子挿通孔３ｄの個数が増えるほど、他種類の不等ピッチの疑似Ｕ字状バックライトを組み立てることができることは言うまでもない。
【符号の説明】
【００３３】
１  リアフレーム
２    光反射シート
３１，３２，３３  疑似Ｕ字状のバックライト
３ａ  直状冷陰極管
３ｂ  ピン状端子
３ｃ  コネクトプレート
３ｄ  端子挿通孔
３ｅ  半田
３ｆ  標示部（膨出部）
４  バックライト支持体
５ａ，５ｂ，５ｃ  光学シート
６ａ，６ｂ  ランプホルダー
７    セルガイド
８    液晶パネル
【図１】
2010176955.tif 000003
【図２】
2010176955.tif 000004
【図３】
2010176955.tif 000005
【図４】
2010176955.tif 000006
【図５】
2010176955.tif 000007
【図６】
2010176955.tif 000008
【図７】
2010176955.tif 000009
【図８】
2010176955.tif 000010
【図９】
2010176955.tif 000011